【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
貯蔵システム（１３）の貯蔵格子（１２）を清掃するための搬送器操作清掃容器（２）であって、
遠隔操作搬送器（１）のリフト装置（６）に前記清掃容器（２）を取り付けるための接続手段（３）であって、前記遠隔操作搬送器（１）は、前記リフト装置（６）の助けによって前記清掃容器（２）を前記貯蔵格子（１２）の列（１１）の中へ鉛直に搬送するように構成される、接続手段（３）と、
前記貯蔵格子（１２）から異物を除去するための複数の清掃手段（４）であって、少なくとも１つの清掃手段（４）が前記清掃容器（２）の底壁（１５）に設けられていると共に、少なくとも１つの清掃手段（４）が前記清掃容器（２）の少なくとも１つの横壁（１６）に設けられている、清掃手段（４）と、
を備える清掃容器。
【請求項２】
前記清掃手段（４）は、真空掃除機（４ａ）、掃引装置（４ｂ）、冷却装置（４ｃ）、及びスプレー装置（４ｄ）のうち少なくとも１つを備える、請求項１に記載の清掃容器。
【請求項３】
前記清掃手段（４）が真空掃除機（４ａ）を備え、前記清掃容器（２）は、前記真空掃除機（４ａ）によって除去された異物が排出される廃棄物容器（９）を更に備える、請求項１又は２に記載の清掃容器。
【請求項４】
前記清掃手段（４）は、真空掃除機（４ａ）、掃引装置（４ｂ）、冷却装置（４ｃ）、及びスプレー装置（４ｄ）のうち、交互配置された少なくとも２つを備える、請求項１から３の何れか１項に記載の清掃容器。
【請求項５】
前記清掃手段（４）は、前記清掃容器（２）の底壁（１５）に掃引装置（４ｂ）と真空掃除機（４ａ）とを備え、前記掃引装置（４ｂ）は、前記真空掃除機（４ａ）による異物の吸引を促すように構成されている、請求項１から４の何れか１項に記載の清掃容器。
【請求項６】
清掃容器（２）が少なくとも１つの電源（１８）を備えている、請求項１から５の何れか１項に記載の清掃容器。
【請求項７】
前記電源（１８）は再充電可能である、請求項６に記載の清掃容器。
【請求項８】
前記清掃容器（２）は、前記電源（１８）の充電レベルを検出し、使用中に前記清掃容器（２）を保持している前記遠隔操作搬送器（１）へ当該充電レベルの通信信号を送信するように構成された検出手段（２０）を更に備える、請求項６又は７に記載の清掃容器。
【請求項９】
前記清掃容器（２）は、使用中に前記廃棄物容器（９）内の異物の量を検出し、当該異物の量の通信信号を制御ユニットへ送信する検出手段（２１）を備える、請求項１から８の何れか１項に記載の清掃容器。
【請求項１０】
貯蔵システム（１３）の貯蔵格子（１２）を清掃するための搬送器アセンブリであって、遠隔操作搬送器（１）と請求項１から９の何れか１項に記載の清掃容器（２）とを備え、前記遠隔操作搬送器（１）は、前記接続手段（３）を介して前記清掃容器（２）に接続された前記リフト装置（６）を備える、搬送器アセンブリ。
【請求項１１】
前記リフト装置（６）がリフトビーム（６ｂ）とリフトベルト（６ａ）とを備え、前記リフトビーム（６ｂ）は前記接続手段（３）に接続され、前記リフトベルト（６ａ）は前記遠隔操作搬送器（１）に接続される、請求項１０に記載の搬送器アセンブリ。
【請求項１２】
前記搬送器アセンブリは、前記清掃手段（４）に電力を供給する電源（１８，１９）を備える、請求項１０又は１１に記載の搬送器アセンブリ。
【請求項１３】
前記搬送器アセンブリは、前記電源（１８，１９）の充電レベルを検出するように構成された検出手段（２０，２２）を備える、請求項１２に記載の搬送器アセンブリ。
【請求項１４】
前記遠隔操作搬送器（１）は、前記清掃容器（２）が配置され得るキャビティ（２３）を呈する、請求項１０から１３の何れか１項に記載の搬送器アセンブリ。
【請求項１５】
等間隔に配置された垂直ピラーと横方向に配置されたレール（７）の頂部レベルとによって分離された複数の列（１１）を備え、貯蔵容器（１４）の複数の垂直スタックを収容するように構成された貯蔵格子（１２）と、
リフト装置（６）を備える少なくとも１つの遠隔操作搬送器（１）であって、前記リフト装置（６）が前記レール（７）の最上位レベルに設けられた遠隔操作搬送器（１）と、
接続手段を介して前記少なくとも１つの遠隔操作搬送器（１）の少なくとも１つに接続可能な請求項１から９の何れか１項に記載の清掃容器（２）と、
を備える貯蔵システム。
【請求項１６】
前記清掃容器（２）の電源（１８，１９）を充電するための充電ステーションを備える、請求項１５に記載の貯蔵システム。
【請求項１７】
請求項１１から１４の何れか１項に記載の搬送器アセンブリを備え、前記遠隔操作搬送器（１）が、前記貯蔵格子（１２）に面して下にある列（１１）の断面領域に大体等しい断面領域を有する、請求項１５又は１６に記載の貯蔵システム。
【請求項１８】
請求項１５から１７の何れか１項に記載の貯蔵システム（１３）における貯蔵格子（１２）を清掃するための方法であって、
前記接続手段（３）を介して前記貯蔵容器（２）を前記遠隔操作搬送器（１）へ接続するステップ（ａ）と、
前記清掃容器（２）を備える前記遠隔操作搬送器（１）を清掃すべき前記列（１１）へ移動させるステップ（ｂ）と、
前記清掃容器（２）を前記列（１１）内で鉛直方向に移動させながら前記清掃手段（４）を動作させるステップ（ｃ）と、
を含む方法。
【請求項１９】
前記貯蔵格子（１２）のベース（１０）へ向かって下方向（Ｚ’）に前記清掃容器（２）を搬送する前に、又は搬送する間に、前記貯蔵格子（１２）の異物を冷却するための冷却装置（４ｃ）を作動させるステップと、
前記冷却装置（４ｃ）を停止させるステップと、
前記遠隔操作搬送器（１）へ向かって上方向（Ｚ）に前記清掃容器（２）を搬送する前に、又は搬送する間に、前記貯蔵格子（１２）から異物を掃引するように構成された掃引装置（４ｂ）と前記貯蔵格子（１２）から異物を吸引するように構成された真空掃除機（４ａ）との少なくとも一方を作動させるステップと、
を前記ステップ（ｃ）が含む、請求項１８に記載の方法。
【請求項２０】
前記貯蔵格子（１２）のベース（１０）へ向かって下方向（Ｚ’）に前記清掃容器（２）を搬送する前に、又は搬送する間に、前記貯蔵格子（１２）の異物を分離するためのスプレー装置（４ｄ）を作動させるステップと、
前記スプレー装置（４ｄ）を停止させるステップと、
前記遠隔操作搬送器（１）へ向かって上方向（Ｚ）に前記清掃容器（２）を搬送する前に、又は搬送する間に、前記貯蔵格子（１２）から異物を掃引するように構成された掃引装置（４ｂ）と前記貯蔵格子（１２）から異物を吸引するように構成された真空掃除機（４ａ）との少なくとも一方を作動させるステップと、
を前記ステップ（ｃ）が含む、請求項１８に記載の方法。
【請求項２１】
前記貯蔵格子（１２）のベース（１０）へ向かって下方向（Ｚ’）に前記清掃容器（２）を搬送する前に、又は搬送する間に、前記貯蔵格子（１２）から異物を掃引するように構成された掃引装置（４ｂ）と前記貯蔵格子（１２）から異物を吸引するように構成された真空掃除機（４ａ）との少なくとも一方を作動させるステップと、
前記清掃容器（２）が前記遠隔操作搬送器（２）に戻るまで前記清掃手段の作動を維持するステップと、
を前記ステップ（ｃ）が含む、請求項１８に記載の方法。
【請求項２２】
前記清掃容器（２）の前記底に配置された前記清掃手段（４）の作動中に、前記貯蔵格子（１２）における横方向に配置されたレール（７）の最上位レベルに前記清掃容器（２）を備える前記遠隔操作搬送器（１）を移動させ、それにより前記レール（７）を清掃するステップ、
を更に含む請求項１８から２１の何れか１項に記載の方法。